(57)【要約】【課題】  拡張テーブルを折畳んで物置棚に収納することができるテーブル用折畳み式拡張テーブル付き物置棚を提供する。【解決手段】  サイド板１１、１２と、上板１３と、下板１４と、仕切り板１５と、後ろ板１６とから構成されるテーブル用折畳み式拡張テーブル付き物置棚において、正面には、旋回して品物を物置棚１０に入れることが可能な前板４０が設けられ、上前端には上へ旋回可能なフレーム２０が枢着され、前記フレーム２０の下端には一つの枠２５が枢着され、前記枠２５の両端には、支持チューブとして使用される矩形チューブ２６が設けられ、前記フレーム２０にはヒンジで連結された前板４０が設けられていることを特徴とするテーブル用折畳み式拡張テーブル付き物置棚。【選択図】  図１
0003111652.tif 000002
【実用新案登録請求の範囲】
【請求項１】
サイド板と、上板と、下板と、仕切り板と、後ろ板とから構成されるテーブル用折畳み式拡張テーブル付き物置棚において、
正面には旋回して品物を物置棚に入れることが可能な前板が設けられ、上前端には上へ旋回可能なフレームが枢着され、前記フレームの下端には一つの枠が枢着され、前記枠の両端には支持チューブとして使用される矩形チューブが設けられ、前記フレームにはヒンジで連結された前板が設けられていることを特徴とするテーブル用折畳み式拡張テーブル付き物置棚。
【請求項２】
前記フレームは、物置棚の上前端に設けられた複数の貫通孔と複数のプラグとの組合により、上下に旋回自在であることを特徴とする請求項１に記載のテーブル用折畳み式拡張テーブル付き物置棚。
【請求項３】
前記フレームの両側にはＬ字形断面を有する二つの構造用板が対向に設けられ、前記構造用板の下端には枠に設けられたプラグを嵌合するための貫通孔が開設されていることを特徴とする請求項１に記載のテーブル用折畳み式拡張テーブル付き物置棚。
【請求項４】
前記枠の矩形チューブの枢着箇所に近接する所に係り素子が設けられ、前記係り素子はバネによって外側へ付勢され、前記枠が展開されたときに前記係り素子は構造用板の下縁に当接し、前記枠が上へ折畳まれたときに前記係り素子は構造用板の内壁に係ることを特徴とする請求項１に記載のテーブル用折畳み式拡張テーブル付き物置棚。
【請求項５】
前記枠の矩形チューブの下段に係り素子が設けられ、前記係り素子にある突起は矩形チューブに開設された貫通孔から外側へ突出し、支持チューブに開設された係り孔に係ることを特徴とする請求項１に記載のテーブル用折畳み式拡張テーブル付き物置棚。
【請求項６】
ネジによりパソコン用テーブルの一側に固定されることを特徴とする請求項１に記載のテーブル用折畳み式拡張テーブル付き物置棚。
【請求項７】
独立してパソコン用テーブルの一側に設置され移動自在であることを特徴とする請求項１に記載のテーブル用折畳み式拡張テーブル付き物置棚。
【考案の詳細な説明】
【技術分野】
【０００１】
本考案は、テーブル用折畳み式拡張テーブル付き物置棚に関し、特に、物置棚の前板を改善することにより、旋回自在なフレームを上へ旋回させて、前記フレームの下端に枢着された支持チューブを下へ旋回させると、拡張テーブルが展開され使用できるようになるテーブル用折畳み式拡張テーブル付き物置棚に関するものである。
【背景技術】
【０００２】
従来のパソコン用テーブルの構造では、使用者の使用便利性を満足させるために、テーブル用物置棚を独立なものにしてテーブルの下方に設置し、移動自在にするためにテーブル用物置棚の下面には複数のローラが取り付けられていた。
なお、このような物置棚には、前へ旋回できる前板、または引出しが設けてあり、これにより、物置棚の内部に品物や書類を収納することができ、且つ物置棚の下面にはローラが設けてあるので、物置棚が移動自在であり、使用者は物置棚の位置を変更することが容易である。
【０００３】
パソコン用テーブルと、物置棚とは機能が異なり、且つ寸法が一定であり、一般的には、パソコン用テーブルの寸法は大きくなく、ディスプレーや、キーボードや、プリンタや、スキャナなどの周辺装置を設置すると、使用できるスペースが狭くなる。したがって、使用者が書類を書こうとするときにはキーボードを別の所に移動しないと仕事をすることができず、なお、仕事を終了したとき、キーボードを元の位置に移動することが必要である。しかしながら、これは極めて不便である。その問題について、目下の解決方法では、パソコン用テーブルの一側に別のテーブルを増設し、卓面全体をＬ字形にし、使用者が書類を書こうとするときには、上記の増設したテーブルを利用して仕事をする。
【考案の開示】
【考案が解決しようとする課題】
【０００４】
しかしながら、上述の方法には次のような欠点があった。
それは、書類を書くなどの仕事が少なくても、増設したテーブルが固定式であるので、かなりのスペースを占めるということである。
本考案の主な目的は、物置棚に折畳み式拡張テーブルを設置することにより、前記拡張テーブルを使用しない場合には、拡張テーブルを折畳んで物置棚に収納することができ、占めるスペースを低減できるテーブル用折畳み式拡張テーブル付き物置棚を提供することにある。
本考案の次の目的は、拡張テーブルを使用しない場合には、品物や書類などを物置棚に入れることができるテーブル用折畳み式拡張テーブル付き物置棚を提供することにある。
本考案の他の目的は、拡張テーブルが折畳み式であるので、展開や収納を快速にすることができるテーブル用折畳み式拡張テーブル付き物置棚を提供することにある。
【課題を解決するための手段】
【０００５】
上記目的を達成するためになされた本考案は、サイド板と、上板と、下板と、仕切り板と、後ろ板とから構成されるテーブル用折畳み式拡張テーブル付き物置棚において、正面には、旋回して品物を物置棚に入れることが可能な前板が設けられ、上前端には上へ旋回可能なフレームが枢着され、前記フレームの下端には一つの枠が枢着され、前記枠の両端には、支持チューブとして使用される矩形チューブが設けられ、前記フレームにはヒンジで連結された前板が設けられていることを特徴とするテーブル用折畳み式拡張テーブル付き物置棚であることを要旨としている。
【０００６】
本考案では、前記フレームは、物置棚の上前端に設けられた複数の貫通孔と複数のプラグとの組合により、上下に旋回自在であることを特徴とする請求項１に記載のテーブル用折畳み式拡張テーブル付き物置棚であることを要旨としている。
本考案では、前記フレームの両側にはＬ字形断面を有する二つの構造用板が対向に設けられ、前記構造用板の下端には、枠に設けられたプラグを嵌合するための貫通孔が開設されていることを特徴とする請求項１に記載のテーブル用折畳み式拡張テーブル付き物置棚であることを要旨としている。
【０００７】
本考案では、前記枠の矩形チューブの枢着箇所に近接する所に係り素子が設けられ、前記係り素子はバネによって外側へ付勢され、前記枠が展開されたときに前記係り素子は構造用板の下縁に当接し、前記枠が上へ折畳まれたときに前記係り素子は構造用板の内壁に係ることを特徴とする請求項１に記載のテーブル用折畳み式拡張テーブル付き物置棚であることを要旨としている。
【０００８】
本考案では、前記枠の矩形チューブの下段に係り素子が設けられ、前記係り素子にある突起は、矩形チューブに開設された貫通孔から外側へ突出し、支持チューブに開設された係り孔に係ることを特徴とする請求項１に記載のテーブル用折畳み式拡張テーブル付き物置棚であることを要旨としている。
本考案では、前記物置棚は、ネジによりパソコン用テーブルの一側に固定されることを特徴とする請求項１に記載のテーブル用折畳み式拡張テーブル付き物置棚であることを要旨としている。
本考案では、前記物置棚は、独立してパソコン用テーブルの一側に設置され移動自在であることを特徴とする請求項１に記載のテーブル用折畳み式拡張テーブル付き物置棚であることを要旨としている。
【０００９】
（考案の効果）
本考案に係るテーブル用折畳み式拡張テーブル付き物置棚によれば、次のような効果がある。
（イ）物置棚に折畳み式拡張テーブルを設置することにより、前記拡張テーブルを使用しない場合には、拡張テーブルを折畳んで物置棚に収納することができ、占めるスペースを低減できる。
（ロ）拡張テーブルを使用しない場合には、品物や書類などを物置棚に入れることができる。
（ハ）拡張テーブルが折畳み式であるので、展開や収納を快速にすることができる。
【考案を実施するための最良の形態】
【００１０】
以下、添付図面を参照して本考案の好適な実施例を詳細に説明する。
まず、図１乃至図３を参照する。本考案の一実施例に係るテーブル用折畳み式拡張テーブル付き物置棚は、主に、二つのサイド板１１、１２と、上板１３と、下板１４と、仕切り板１５と、後ろ板１６とから構成されるものである。物置棚１０の正面には、旋回して品物を物置棚１０に入れることができる前板４０を設けてあり、前記物置棚１０の上前端には上へ旋回できるフレーム２０を枢着して設けてある。前記フレーム２０はプラグ１８を中心として上下に旋回することができ、前記フレーム２０の両側にはＬ字形断面を有する二つの構造用板２１、２２を対向に設けてあり、前記構造用板２１、２２の下端には、枠２５に設けられたプラグ２４を嵌合するための貫通孔２３を開設してある。なお、前記フレーム２０の下端には一つの枠２５を枢着して設けてあり、前記枠２５の両端には、支持チューブとして使用される矩形チューブ２６、２６´を設けてあり、前記枠２５の矩形チューブ２６の枢着箇所に近接する所に係り素子２７を設けてある。前記係り素子２７はバネ２７１によって外側へ付勢され、前記枠２５が展開されたときに前記係り素子２７は構造用板２１、２２の下縁に当接し、前記枠２５が上へ折畳まれたときに前記係り素子２７は構造用板２１、２２の内壁に係る。なお、前記枠２５の矩形チューブ２６の下段には係り素子２８を設けてあり、前記係り素子２８にある突起２８１は、矩形チューブ２６、２６´に開設された貫通孔２６１から外側へ突出し、支持チューブ３０に開設された係り孔３１に係り、これにより支持チューブ３０が定位される。また、前記フレーム２０にはヒンジ２９で連結された前板４０を設けてあり、前記前板４０は横へ旋回することができる。
【００１１】
また、図１乃至図７を参照して拡張テーブルの使用方法を詳細に説明する。拡張テーブルを使用しない場合には、枠２５と支持チューブ３０とをフレーム２０の構造用板２１、２２の内側に折畳んで収納して、フレーム２０を下へ旋回させると、前板４０を開けることができ、そうすると、図４に示すように、品物を取り出すことができる。また、拡張テーブルを使用する場合には、フレーム２０と枠２５と支持チューブ３０と前板４０などを同時に上へ旋回させて、枠２５と支持チューブ３０とを下へ旋回させると、枠２５と支持チューブ３０が垂直になるときに、枠２５の矩形ロッド２６に設けられた係り素子２７がバネ２７１に付勢されてフレーム２０の構造用板２１の下縁に係り、これにより枠２５とフレーム２０が定位される。そうすると、図５と図６に示すように、枠２５が任意に旋回できなくなる。また、支持チューブ３０を下へ引き出すと、支持チューブ３０の下端が地面に接触するときに、枠２５の矩形ロッド２６、２６´に設けられた係り素子２８が、支持チューブ３０に開設された係り孔３１に係り、これにより支持チューブ３０と枠２５が定位される。そうすると、支持チューブ３０がフレーム２０を安定に支持するようになり、このとき、図７に示すように、前板４０を拡張テーブルの卓面として使用することができる。なお、拡張テーブルを使用しない場合には、支持チューブ３０を上へ押し入れて、枠２５の矩形ロッド２６に設けられた係り素子２７を内側へ押して、構造用板２１の下縁と、矩形ロッド２６の係りが解除された後、プラグ２４を中心として枠２５と支持チューブ３０を上へ旋回させてフレーム２０にある構造用板２１、２２の内側に収納する。このとき、係り素子２７が構造用板２１の内壁に当接して定位される。最後に、フレーム２０と枠２５と支持チューブ３０と前板４０などを同時に物置棚１０の正面まで下へ旋回させると、物置棚１０が基本形態になり、この形態では、支持チューブ３０が仕切り板１５に止められて任意に旋回することができなくなり、このとき、前板４０は、フレーム２０を連動しないで横へ旋回することができる。
【００１２】
また、図８と図９を参照して本実施例に係る物置棚１０とパソコン用テーブル５０の組合形態を説明する。本実施例では、ネジ５２によって物置棚１０をパソコン用テーブル５０の卓面の一側の下面に締結して固定してもいいし、前記物置棚を独立なものとしてパソコン用テーブルの一側に設置し移動自在にしてもよく、これにより、物置棚１０をパソコン用テーブル５０の付属収納空間として使用することができる。このとき、物置棚１０の前板４０が横へ旋回する形態であり、フレーム２０が上へ旋回する形態であるので、フレーム２０が前板４０に連動されず、前板４０を独立に開閉でき、品物を放置することを容易にできる。また、拡張テーブルを使用する場合には、上記説明のように展開すると、拡張テーブルを使用できるようになり、書類を書くなどの仕事をすることができ、また、拡張テーブルを使用しない場合には、簡単な折畳み作業により拡張テーブルを収納することができ、このとき、拡張テーブルがスペースを占めないようになり、拡張テーブルの使用は極めて便利である。
【図面の簡単な説明】
【００１３】
【図１】本考案の一実施例による物置棚を示す分解斜視図である。
【図２】本考案の一実施例による物置棚の前板を開けた状態を示す概略図である。
【図３】本考案の一実施例による物置棚の拡張テーブルを展開した状態を示す概略図である。
【図４】本考案の一実施例による物置棚の構造を示す断面概略図である。
【図５】本考案の一実施例による物置棚の拡張テーブルを展開した状態を示す断面概略図である。
【図６】本考案の一実施例による物置棚の拡張テーブルを展開して支持チューブを旋回させた状態を示す断面概略図である。
【図７】本考案の一実施例による物置棚の拡張テーブルを展開して支持チューブを旋回させ支持チューブを適当な長さに調整した状態を示す断面概略図である。
【図８】本考案の一実施例による物置棚をパソコン用テーブルに適用する使用例を示す概略図である。
【図９】本考案の一実施例による物置棚の前板を開けた状態を示す概略図である。
【図１０】本考案の一実施例による物置棚の拡張テーブルを展開して使用する状態を示す概略図である。
【符号の説明】
【００１４】
１０  テーブル用物置棚、１１、１２  サイド板、１３  上板、１４  下板、１５  仕切り板、１６  後ろ板、１７  貫通孔、１８  プラグ、２０  フレーム、２１、２２  構造用板、２３  貫通孔、２４  プラグ、２５  枠、２６、２６´  矩形チューブ、２７  係り素子、２８  係り素子、２９  ヒンジ、３０  支持チューブ、３１  係り孔、４０  前板、５０  パソコン用テーブル、５１  卓面、５２  ネジ、２６１  プラグ用孔、２７１  バネ、２８１  突起
【図１】
0003111652.tif 000003
【図２】
0003111652.tif 000004
【図３】
0003111652.tif 000005
【図４】
0003111652.tif 000006
【図５】
0003111652.tif 000007
【図６】
0003111652.tif 000008
【図７】
0003111652.tif 000009
【図８】
0003111652.tif 000010
【図９】
0003111652.tif 000011
【図１０】
0003111652.tif 000012